(57)【要約】【課題】このような超音波魚群探知機において、単周波魚群探知機又は２周波併画式魚群探知機では、同一の深度レンジで感度を可変する場合、その都度受信回路３で感度を調整しなければならなかったり、又、受信回路３を複数個接続しなければならないという問題があった。【解決手段】超音波振動子８に送信回路９が接続され、この送信回路９に受信回路１０が接続され、受信回路１０に感度設定器１１が接続され、この感度設定器１１に感度制御回路１２が接続され、又、感度制御回路１２から発振器９に作動信号が出力され、又、受信回路１０の出力はＡ／Ｄ変換器１３でデジタル信号に変換され、Ａ／Ｄ変換器１３から出力は第１の記憶装置１４及び第２の記憶装置１５で記憶され、第１、第２の記憶装置１４、１５からの出力は制御回路１６で画像信号に変換して、表示装置１７で併記するように構成されている。【選択図】        図１
2004212236.tif 000002
【特許請求の範囲】
【請求項１】
超音波振動子と、該超音波振動子に接続された発振器と、前記超音波振動子で受信した反射波を増幅する受信器と、前記発振器の出力と同期して前記受信器の感度設定器の感度を切り替える感度制御回路と、前記受信器の出力をデジタル信号に変換するＡ／Ｄ変換器と、該Ａ／Ｄ変換器の出力で低い感度のデジタル信号の出力を記憶する第１の記憶装置と、前記Ａ／Ｄ変換器の出力で高い感度のデジタル信号の出力を記憶する第２の記憶装置と、前記第１、第２の記憶装置からの出力信号をそれぞれ読み出して画像信号に変換する制御回路と、該制御回路の出力を画面に併記して表示する表示装置からなることを特徴とする超音波魚群探知機。
【発明の詳細な説明】
【０００１】
【発明が属する技術分野】
本発明は、超音波振動子から受信した超音波を低い感度と高い感度で順次受信して表示するようにした魚群探知機に関するものである。
【０００２】
【従来の技術】
従来、超音波魚群探知機は、図３に示すように、発振器１からの発振出力によって超音波振動子２から水中に照射した超音波の反射波を超音波振動子２で受信し、この反射波を受信回路３で増幅してＡ／Ｄ変換器４でデジタル信号に変換し、このデジタル信号を一旦記憶装置５に記憶し、この記憶装置５に記憶された信号を順次読み出して画像信号変換器６に入力して変換し、この画像信号変換器６の出力を表示装置７で表示するようにしている。
【０００３】
【発明が解決しようとする課題】
しかしながら、このような超音波魚群探知機において、単周波魚群探知機又は２周波併画式魚群探知機では、同一の深度レンジで感度を可変する場合、その都度受信回路３で感度を調整しなければならなかったり、又、受信回路３を複数個接続しなければならないという問題があった。
【０００４】
【課題を解決しようとする手段】
本発明は、超音波振動子と、該超音波振動子に接続された発振器と、前記超音波振動子で受信した反射波を増幅する受信器と、前記発振器の出力と同期して前記受信器の感度設定器の感度を切り替える感度制御回路と、前記受信器の出力をデジタル信号に変換するＡ／Ｄ変換器と、該Ａ／Ｄ変換器の出力で低い感度のデジタル信号の出力を記憶する第１の記憶装置と、前記Ａ／Ｄ変換器の出力で高い感度のデジタル信号の出力を記憶する第２の記憶装置と、前記第１、第２の記憶装置からの出力信号をそれぞれ読み出して画像信号に変換する制御回路と、該制御回路の出力を画面に併記して表示する表示装置からなるものである。
【０００５】
【発明の実施の形態】
本発明では、超音波振動子から超音波を送信し、反射波を受信して、受信された反射波を低い感度で増幅し、この低い感度の超音波の反射波デジタル信号は第１の記憶装置で記憶し、高い感度の超音波の反射波デジタル信号は第２の記憶装置で記憶し、第１、第２の記憶装置でそれぞれ記憶された信号を読み出して、表示装置の１つの画面に併記することにより、超音波の出力の違いにより感度の異なる２種類の画像表示を行うことができる。
【０００６】
【実施例】
図１は本発明の実施例の魚群探知機のブロック図で、超音波振動子８に送信回路９が接続され、この送信回路９に受信回路１０が接続され、受信回路１０に感度設定器１１が接続され、この感度設定器１１に感度制御回路１２が接続され、又、感度制御回路１２から発振器９に作動信号が出力され、又、受信回路１０の出力はＡ／Ｄ変換器１３でデジタル信号に変換され、Ａ／Ｄ変換器１３から出力は第１の記憶装置１４及び第２の記憶装置１５で記憶され、第１、第２の記憶装置１４、１５からの出力は制御回路１６で画像信号に変換して、表示装置１７で併記するように構成されている。
【０００７】
このように構成された本実施例の魚群探知機では、まず、感度制御回路１２で感度設定器１１を制御して、受信回路１０の増幅感度を低く設定し、そして、感度制御回路１２からの信号で送信回路９から送信信号が出力されると、超音波振動子８から超音波が水中に照射され、超音波の反射波は超音波振動子８で受信されて低い感度の受信回路１０で増幅され、Ａ／Ｄ変換器１３で低い感度の反射波デジタル信号に変換されて第１の記憶装置１４で記憶され、又、感度制御回路１２て感度設定器１１を制御して、受信感度１０の増幅感度を高く設定し、感度制御回路１２からの出力で送信回路９から送信信号が出力されると、超音波振動子８から超音波が水中に照射され、超音波の反射波は超音波振動子８で受信されて感度の高い受信回路１２で増幅され、Ａ／Ｄ変換器１３で高い感度の反射波デジタル信号に変換されて第２の記憶装置１５で記憶され、これらの低い感度の反射波デジタル信号と高い感度の反射波デジタル信号は順次繰り返し第１、第２の記憶装置１４、１５で記憶され、第１、第２の記憶装置１４、１５でそれぞれ記憶された低い感度の反射波デジタル信号と高い感度の反射波デジタル信号は制御回路１６でそれぞれの画像信号に変換されて表示装置１７のそれぞれの領域に低い感度の反射波の画像信号と高い感度の反射波の画像信号が表示される。
【０００８】
本実施例では、このように第１の記憶装置１４から読み出された低い感度の反射波の画像信号と第２の記憶装置１５から読み出された高い感度の反射波の画像信号とを表示装置１７でそれぞれの領域に表示することにより、浅い海及び深い海の魚群の状態が判別し易くなる。
【０００９】
【発明の効果】
以上説明したように、本発明の魚群探知機は、超音波振動子から超音波を送信し、反射波を受信して、受信された反射波を低い感度で増幅し、この低い感度の超音波の反射波デジタル信号は第１の記憶装置で記憶し、高い感度の超音波の反射波デジタル信号は第２の記憶装置で記憶し、第１、第２の記憶装置でそれぞれ記憶された信号を読み出して、表示装置の１つの画面に併記することにより、超音波の出力の違いにより感度の異なる２種類の画像表示を行うことができ、それによって、浅海及び深海の魚群の状態が判別し易くなるという利点がある。
【図面の簡単な説明】
【図１】本発明の実施例の魚群探知機のブロック図である。
【図２】従来の超音波魚群探知機のブロック図である。
【符号の説明】
８              超音波振動子
９              送信回路
１０            受信回路
１１            感度設定器
１２            感度制御回路
１３            Ａ／Ｄ変換器
１４            第１の記憶装置
１５              第２の記憶装置
１６            制御回路
１７            表示装置
【図１】
2004212236.tif 000003
【図２】
2004212236.tif 000004